(57)【要約】【課題】本発明は、液晶表示装置のソースドライバーでガンマ基準電圧を出力する時に電圧降下現象が防止されて、スイッチサイズを最小化することができるようにした技術を提供する。【解決手段】このような本発明は、内部のスイッチング動作を通じてＴＮガンマ電圧発生部で要求されるガンマ基準電圧やＩＰＳガンマ電圧発生部で要求されるガンマ基準電圧を選択的に出力する複数のガンマバッファーでなされたガンマバッファー部を具備することによって達成される。【選択図】図３
2011150342.tif 000002
【特許請求の範囲】
【請求項１】
直列接続された抵抗を利用して電源電圧を分圧して多数個のガンマ基準電圧を発生する基準電圧発生部と；
内部のスイッチング動作を通じて、複数のガンマ電圧発生部で要求するガンマ基準電圧を選択的に出力する複数のガンマバッファーを具備したガンマバッファー部と；
直列接続された抵抗を利用して、前記ガンマバッファー部から入力される複数のガンマ基準電圧を再び分圧するにおいて、要求されたモードに適当にそれぞれ分圧して出力する前記複数のガンマ電圧発生部を含んで構成したことを特徴とするソースドライバーのガンマ基準電圧出力回路。
【請求項２】
複数のガンマ電圧発生部は、ＴＮモード動作時に必要なガンマ電圧を発生するガンマ電圧発生部とＩＰＳモード動作時に必要なガンマ電圧を発生するガンマ電圧発生部を含むことを特徴とする請求項１に記載のソースドライバーのガンマ基準電圧出力回路。
【請求項３】
ガンマバッファーは、
第１、第２ＭＯＳトランジスタ（Ｍ１）、（Ｍ２）で構成されてＩＰＳモードのガンマ基準電圧を出力するＩＰＳガンマ基準電圧出力部と；
第３、第４ＭＯＳトランジスタ（Ｍ３）、（Ｍ４）で構成されてＴＮモードのガンマ基準電圧を出力するＴＮガンマ基準電圧出力部と；
前記ＩＰＳガンマ基準電圧出力部が選択されて動作するようにするための第１〜第４スイッチ（ＳＷ１〜ＳＷ４）と；
前記ＴＮガンマ基準電圧出力部が選択されて動作するようにするための第５〜第８スイッチ（ＳＷ５〜ＳＷ８）で構成されたことを特徴とする請求項１に記載のソースドライバーのガンマ基準電圧出力回路。
【請求項４】
ＩＰＳガンマ基準電圧出力部は、
ソース端子が電源端子（ＶＤＤＰ）に接続されて、ドレイン端子がガンマ基準電圧の出力端子（ＯＵＴ＿ＩＰＳ）に接続されて、ゲート端子が加算段の第１出力端子に接続された第１ＭＯＳトランジスタ（Ｍ１）と；
ドレイン端子が前記ガンマ基準電圧の出力端子（ＯＵＴ＿ＩＰＳ）に接続されて、ソース端子が電源端子（ＶＳＳ）に接続されて、ゲート端子が前記加算段の第２出力端子に接続された第２ＭＯＳトランジスタ（Ｍ２）で構成されたことを特徴とする請求項３に記載のソースドライバーのガンマ基準電圧出力回路。
【請求項５】
ＴＮガンマ基準電圧出力端は、
ソース端子が電源端子（ＶＤＤＰ）に接続されて、ドレイン端子がガンマ基準電圧の出力端子（ＯＵＴ＿ＴＮ）に接続されて、ゲート端子が加算段の第１出力端子に接続された第３ＭＯＳトランジスタ（Ｍ３）と；
ドレイン端子が前記ガンマ基準電圧の出力端子（ＯＵＴ＿ＴＮ）に接続されて、ソース端子が電源端子（ＶＳＳ）に接続されて、ゲート端子が前記加算段の第２出力端子に接続された第４ＭＯＳトランジスタ（Ｍ４）で構成されたことを特徴とする請求項３に記載のソースドライバーのガンマ基準電圧出力回路。
【請求項６】
第１スイッチ（ＳＷ１）は、電源端子（ＶＤＤＰ）と第３ＭＯＳトランジスタ（Ｍ３）のゲート端子との間に接続されて、
第２スイッチ（ＳＷ２）は、第４ＭＯＳトランジスタ（Ｍ４）のゲート端子と電源端子（ＶＳＳ）との間に接続されて、
第３スイッチ（ＳＷ３）は、第１ＭＯＳトランジスタ（Ｍ１）のゲート端子と加算段の第１出力端子との間に接続されて、
第４スイッチ（ＳＷ４）は、第２ＭＯＳトランジスタ（Ｍ２）のゲート端子と加算段の第２出力端子との間に接続されたことを特徴とする請求項３に記載のソースドライバーのガンマ基準電圧出力回路。
【請求項７】
第５スイッチ（ＳＷ５）は、電源端子（ＶＤＤＰ）と第１ＭＯＳトランジスタ（Ｍ１）のゲートとの間に接続されて、
第６スイッチ（ＳＷ６）は、第２ＭＯＳトランジスタ（Ｍ２）のゲート端子と電源端子（ＶＳＳ）との間に接続されて、
第７スイッチ（ＳＷ７）は、加算段の第１出力端子と第３ＭＯＳトランジスタ（Ｍ３）のゲート端子との間に接続されて、
第８スイッチ（ＳＷ８）は、加算段の第２出力端子と第４ＭＯＳトランジスタ（Ｍ４）のゲート端子との間に接続されたことを特徴とする請求項３に記載のソースドライバーのガンマ基準電圧出力回路。
【請求項８】
第１〜第８スイッチ（ＳＷ１〜ＳＷ８）は、ＭＯＳトランジスタであることを特徴とする請求項３に記載のソースドライバーのガンマ基準電圧出力回路。
【請求項９】
モード選択信号によってガンマ基準電圧をスイッチングして第１出力端子及び第２出力端子のうちで選択された出力端子に出力するガンマバッファー；
前記第１出力端子に連結されて前記ガンマ基準電圧を分圧して第１モードに使われるガンマ電圧を出力する第１ガンマ電圧発生部；及び
前記第２出力端子に連結されて前記ガンマ基準電圧を分圧して第２モードに使われるガンマ電圧を出力する第２ガンマ電圧発生部；を含むソースドライバーのガンマ基準電圧出力回路。
【発明の詳細な説明】
【技術分野】
【０００１】
本発明は、液晶表示装置のソースドライバーでガンマ基準電圧を出力する技術に関するものであり、特に、ガンマバッファーでガンマ基準電圧を出力する時に選択されたモードによってＩＰＳ（Ｉｎ−Ｐｌａｎｅ  Ｓｗｉｔｃｈｉｎｇ）ガンマ電圧発生部やＴＮ（Ｔｗｉｓｔｅｄ  Ｎｅｍａｔｉｃ）ガンマ電圧発生部などに選択的にガンマ基準電圧を出力することができるようにしたソースドライバーのガンマ基準電圧出力回路に関するものである。
【背景技術】
【０００２】
一般に、液晶表示装置は外部から入力されるＲ、Ｇ、Ｂデータによって液晶ディスプレイパネルのデータラインを駆動するソースドライバー集積素子を具備する。
【０００３】
図１は、従来技術によるソースドライバー回路に対するブロック図である。図１に示したように、従来技術によるソースドライバー回路は、基準電圧発生部１１、ガンマバッファー部１２、スイッチ部１３、ＴＮガンマ電圧発生部１４Ａ、ＩＰＳガンマ電圧発生部１４Ｂ、マルチプレクサー１５及びデジタル（Ｄ）／アナログ（Ａ）変換器１６で構成される。
【０００４】
基準電圧発生部１１は、直列接続された抵抗（Ｒ＿ｒ）を具備して、これを利用して電源電圧（Ｖｉｎ１）、（Ｖｉｎ２）の間の差電圧を分圧して多数個のガンマ基準電圧（Ｖｒｅｆ０〜Ｖｒｅｆ６）を発生する。
【０００５】
ガンマバッファー部１２は、複数のガンマバッファー（ＧＢ１〜ＧＢ７）を具備して、前記基準電圧発生部１１から出力されるガンマ基準電圧（Ｖｒｅｆ０〜Ｖｒｅｆ６）を安定化させて出力する。
【０００６】
前記ガンマバッファー（ＧＢ１〜ＧＢ７）は、一般に演算増幅器（Ｏｐｅｒａｔｉｏｎａｌ  Ａｍｐｌｉｆｉｅｒ）に具現されるが、図２はその演算増幅器の出力段（ｏｕｔｐｕｔ  ｓｔａｇｅ）の回路を示したものである。すなわち、ＭＯＳトランジスタ（Ｍ１）のソース端子が電源端子（ＶＤＤＰ）に接続されて、ＭＯＳトランジスタ（Ｍ２）のソース端子が接地端子（ＶＳＳ）に接続されて、これらのドレイン端子が出力端子（ＯＵＴ）に共通接続される。前記ＭＯＳトランジスタ（Ｍ１）、（Ｍ２）のゲート端子には前段の加算段（ｓｕｍｍｉｎｇ  ｓｔａｇｅ）から出力される電圧（Ｖ１）、（Ｖ２）が供給される。
【０００７】
スイッチ部１３は、複数のスイッチ（ＳＷ１〜ＳＷ７）を具備して、前記ガンマバッファー部１２から出力されるガンマ基準電圧（Ｖｒｅｆ０〜Ｖｒｅｆ６）をＴＮガンマ電圧発生部１４Ａの入力端やＩＰＳガンマ電圧発生部１４Ｂの入力端に伝達する。
【０００８】
例えば、制御部（例：タイミングコントローラ）からスイッチング制御信号（ＣＳ）が「ロー」に入力される時、前記スイッチ（ＳＷ１〜ＳＷ７）の可動端子（ａ１〜ａ７）が固定端子（ｂ１〜ｂ７）にそれぞれ短絡される。これによって、前記ガンマバッファー（ＧＢ１〜ＧＢ７）から出力されるガンマ基準電圧（Ｖｒｅｆ０〜Ｖｒｅｆ６）がＴＮガンマ電圧発生部１４Ａの入力端に伝達される。
【０００９】
しかし、前記制御部からスイッチング制御信号（ＣＳ）が「ハイ」に入力される時には前記スイッチ（ＳＷ１〜ＳＷ７）の可動端子（ａ１〜ａ７）が固定端子（ｃ１〜ｃ７）にそれぞれ短絡される。これによって、前記ガンマバッファー（ＧＢ１〜ＧＢ７）から出力されるガンマ基準電圧（Ｖｒｅｆ０〜Ｖｒｅｆ６）がＩＰＳガンマ電圧発生部１４Ｂの入力端に伝達される。
【００１０】
ＴＮガンマ電圧発生部１４ＡとＩＰＳガンマ電圧発生部１４Ｂは、直列接続された抵抗（Ｒ＿ｓ）をそれぞれ具備して、前記スイッチ部１３を通じて前記ガンマバッファー部１２から入力される複数のガンマ基準電圧を再び分圧するにおいてＴＮ（Ｔｗｉｓｔｅｄ  Ｎｅｍａｔｉｃ）モードとＩＰＳ（Ｉｎ−Ｐｌａｎｅ  Ｓｗｉｔｃｈｉｎｇ）モードに適当に分圧して、その分圧されたガンマ電圧（Ｖ＿ＴＮ＜２５５：０＞）、（Ｖ＿ＩＰＳ＜２５５：０＞）を出力する。
【００１１】
マルチプレクサー１５は、モード選択信号（ＩＰＳＥＮ）によって、前記ＴＮガンマ電圧発生部１４Ａから出力されるガンマ電圧（Ｖ＿ＴＮ＜２５５：０＞）またはＩＰＳガンマ電圧発生部１４Ｂから出力されるガンマ電圧（Ｖ＿ＩＰＳ＜２５５：０＞）を選択して出力する。
【００１２】
Ｄ／Ａ変換器１６は、前記制御部から入力されるＲ、Ｇ、Ｂデータに対応して前記のような経路を通じて生成されたアナログのガンマ電圧（Ｖ＿ＴＮ＜２５５：０＞）、（Ｖ＿ＩＰＳ＜２５５：０＞）を選択して出力する。
【００１３】
このように、従来のソースドライバー回路ではガンマバッファー部の出力端外部にスイッチ部を具備して、駆動モードによってガンマ基準電圧をＴＮガンマ電圧発生部の入力端やＩＰＳガンマ電圧発生部の入力端に伝達するようになっていた。
【００１４】
これによって、スイッチ抵抗によって電圧降下現象が発生されるので、目的したレベルのガンマ基準電圧を伝達することに困難があった。
【００１５】
これを勘案してスイッチサイズを大きくすれば電圧降下現象をある程度緩和させることができるが、レイアウトをたくさん占めるようになる問題点があった。
【００１６】
さらに、ガンマ電圧発生部のストリング抵抗値が小さく設計される場合、電圧降下によって正確なガンマ電圧値を生成することに困難があった。
【先行技術文献】
【特許文献】
【００１７】
【特許文献１】特開２００５−２２７７４１号公報。
【特許文献２】特開２０１０−２０２９９号公報。
【発明の概要】
【発明が解決しようとする課題】
【００１８】
したがって、本発明の目的は、ガンマバッファーでガンマ基準電圧を出力する時に電圧降下を誘発しないで、ＩＰＳガンマ電圧発生部やＴＮガンマ電圧発生部などにガンマ基準電圧を選択的に出力することができるようにすることにある。
【００１９】
本発明の目的は、前で言及した目的で制限されない。本発明の他の目的及び長所は、下の説明によってさらに明らかに理解されるであろう。
【課題を解決するための手段】
【００２０】
前記のような目的を達成するための本発明は、直列接続された抵抗を利用して、電源電圧を分圧して多数個のガンマ基準電圧を発生する基準電圧発生部と；内部のスイッチング動作を通じてＴＮガンマ電圧発生部で要求されるガンマ基準電圧やＩＰＳガンマ電圧発生部で要求されるガンマ基準電圧を出力する複数のガンマバッファーを具備したガンマバッファー部と；直列接続された抵抗を利用して前記ガンマバッファー部から入力される複数のガンマ基準電圧を再び分圧するにおいて、ＴＮモードとＩＰＳモードに適当にそれぞれ分圧して出力するＴＮガンマ電圧発生部及び、ＩＰＳガンマ電圧発生部を含んで構成することを特徴とする。
【００２１】
望ましくは、前記ガンマバッファー部は第１、第２ＭＯＳトランジスタで構成されてＩＰＳモードのガンマ基準電圧を出力するＩＰＳガンマ基準電圧出力部と；第３、第４ＭＯＳトランジスタで構成されてＴＮモードのガンマ基準電圧を出力するＴＮガンマ基準電圧出力部と；前記ＩＰＳガンマ基準電圧出力端が選択されて動作するようにするための第１〜第４スイッチと；前記ＴＮガンマ基準電圧出力端が選択されて動作するようにするための第５〜第８スイッチで構成される。
【発明の効果】
【００２２】
本発明は、ガンマバッファーでガンマ基準電圧を出力する時に選択されたモードによってＩＰＳガンマ電圧発生部やＴＮガンマ電圧発生部などに選択的にガンマ基準電圧を出力することができるようにすることで、出力されるガンマ基準電圧の電圧降下現象が発生されなくて要求されたレベルの電圧を出力することができる効果がある。
【００２３】
また、ＩＰＳ／ＴＮガンマ基準電圧を選択的に出力するための複数のスイッチがガンマバッファーの外部に存在しないでガンマバッファーの内部に存在するので、その複数のスイッチを最小サイズに設計することができる効果がある。
【図面の簡単な説明】
【００２４】
【図１】従来技術によるソースドライバー回路に対するブロック図である。
【図２】従来技術によるガンマバッファー出力端の回路図である。
【図３】本発明によるソースドライバーのガンマ基準電圧出力回路のブロック図である。
【図４】本発明によるガンマバッファー出力端の回路図である。
【図５】ＩＰＳガンマ電圧モードにおける図４の等価回路図である。
【図６】ＴＮガンマ電圧モードにおける図４の等価回路図である。
【発明を実施するための形態】
【００２５】
以下、添付した図面を参照して本発明の望ましい実施例を詳しく説明すれば次のようである。
【００２６】
図３は、本発明によるソースドライバーのガンマ基準電圧出力回路のブロック図である。図３にに示したように、本発明によるソースドライバーのガンマ基準電圧出力回路は、基準電圧発生部３１、ガンマバッファー部３２、ＴＮガンマ電圧発生部３３Ａ、ＩＰＳガンマ電圧発生部３３Ｂ、マルチプレクサー３４及びＤ／Ａ変換器３５で構成される。
【００２７】
図３を参照すれば、基準電圧発生部３１は直列接続された抵抗（Ｒ＿ｒ）を具備して、これを利用して電源電圧（Ｖｉｎ１）、（Ｖｉｎ２）の間の差電圧を分圧して、多数個のガンマ基準電圧（Ｖｒｅｆ０〜Ｖｒｅｆ６）を発生する。
【００２８】
ガンマバッファー部３２は、複数のガンマバッファー（ＧＢ１〜ＧＢ７）を具備して、前記基準電圧発生部３１から出力されるガンマ基準電圧（Ｖｒｅｆ０〜Ｖｒｅｆ６）を安定化させて出力する。前記ガンマバッファー（ＧＢ１〜ＧＢ７）はＴＮガンマ電圧発生部３３ＡとＩＰＳガンマ電圧発生部３３Ｂに連結される二つの出力端子を有する。ガンマバッファー（ＧＢ１〜ＧＢ７）に一つの入力端子だけ表示されているが、入力端子が非反転入力端子に接続されて出力端子が反転入力端子に接続された演算増幅器に具現されることができる。
【００２９】
ＴＮガンマ電圧発生部３３ＡとＩＰＳガンマ電圧発生部３３Ｂは、直列接続された抵抗（Ｒ＿ｓ）をそれぞれ具備して、前記ガンマバッファー部３２から入力される複数のガンマ基準電圧を再び分圧することにおいて、ＴＮ（Ｔｗｉｓｔｅｄ  Ｎｅｍａｔｉｃ）モードとＩＰＳ（Ｉｎ−Ｐｌａｎｅ  Ｓｗｉｔｃｈｉｎｇ）モードに適当に分圧して、その分圧されたガンマ電圧（Ｖ＿ＴＮ＜２５５：０＞）、（Ｖ＿ＩＰＳ＜２５５：０＞）を出力する。
【００３０】
マルチプレクサー３４は、モード選択信号（ＩＰＳＥＮ）によって、前記ＴＮガンマ電圧発生部３３Ａから出力されるガンマ電圧（Ｖ＿ＴＮ＜２５５：０＞）またはＩＰＳガンマ電圧発生部３３Ｂから出力されるガンマ電圧（Ｖ＿ＩＰＳ＜２５５：０＞）を選択して出力する。モード選択信号（ＩＰＳＥＮ）は、液晶表示装置がＩＰＳモードまたはＴＮモードで動作するかどうかを表す信号として、動作モードによって論理状態を変化することができる。例えば、液晶表示装置がＩＳＰモードで動作する場合モード選択信号（ＩＰＳＥＮ）はイネーブルされて、ＴＮモードで動作する場合モード選択信号（ＩＰＳＥＮ）はディスエーブルされることがある。反転モード選択信号（ＩＰＳＥＮＢ）はモード選択信号（ＩＰＳＥＮ）と反対になる論理状態を有したモード選択信号である。
【００３１】
Ｄ／Ａ変換器３５は、制御部から入力されるＲ、Ｇ、Ｂデータに対応して前記のような経路を通じて生成されたアナログのガンマ電圧（Ｖ＿ＴＮ＜２５５：０＞）、（Ｖ＿ＩＰＳ＜２５５：０＞）を選択して出力する。
【００３２】
一方、前記ガンマバッファー部３２のガンマバッファー（ＧＢ１〜ＧＢ７）は、内部のスイッチング動作を通じて前記ＴＮガンマ電圧発生部３３ＡやＩＰＳガンマ電圧発生部３３Ｂに要求されるガンマ基準電圧を出力するようになるが、これに対して詳しく説明すれば次のようである。
【００３３】
前記ガンマバッファー（ＧＢ１〜ＧＢ７）は、演算増幅器に具現されるが、図４はその演算増幅器の出力段（ｏｕｔｐｕｔ  ｓｔａｇｅ）の回路を示したものであり、出力段前段に入力段（Ｉｎｐｕｔ  ｓｔａｇｅ）と加算段（Ｓｕｍｍｉｎｇ  ｓｔａｇｅ）が具備することができる。本実施例は、演算増幅器の出力段でＩＰＳガンマ基準電圧出力部４１、ＴＮガンマ基準電圧出力部４２及び複数のスイッチ（ＳＷ１〜ＳＷ８）の構成に具現されることができるし、これに対する説明から当業者が容易に理解することができるものであるので、出力段前段の回路である入力段と加算段に対する詳細な説明は省略する。
【００３４】
図４を参照すれば、ガンマバッファー（ＧＢ１〜ＧＢ７）は、ＭＯＳトランジスタ（Ｍ１）、（Ｍ２）で構成されてＩＰＳガンマ電圧発生部３３Ｂでガンマ基準電圧を出力するＩＰＳガンマ基準電圧出力部４１と；ＭＯＳトランジスタ（Ｍ３）、（Ｍ４）で構成されて、ＴＮガンマ電圧発生部３３Ａでガンマ基準電圧を出力するＴＮガンマ基準電圧出力部４２と；前記ＩＰＳガンマ基準電圧出力部４１が選択されて動作するようにするための第１〜第４スイッチ（ＳＷ１〜ＳＷ４）と；前記ＴＮガンマ基準電圧出力部４２が選択されて動作するようにするための第５〜第８スイッチ（ＳＷ５〜ＳＷ８）と；前記ＩＰＳガンマ基準電圧出力部４１に連結された出力端子（ＯＵＴ＿ＩＰＳ）と；ＴＮガンマ基準電圧出力部４２に連結された出力端子（ＯＵＴ＿ＴＮ）を含む。
【００３５】
ＩＰＳガンマ基準電圧出力部４１は、ソース端子が電源端子（ＶＤＤＰ）に接続されて、ドレイン端子がガンマ基準電圧の出力端子（ＯＵＴ＿ＩＰＳ）に接続されて、ゲート端子が加算段の第１出力端子（Ｖ１）に接続された第１ＭＯＳトランジスタ（Ｍ１）と；ドレイン端子が前記ガンマ基準電圧の出力端子（ＯＵＴ＿ＩＰＳ）に接続されて、ソース端子が電源端子（ＶＳＳ）に接続されて、ゲート端子が前記加算段の第２出力端子（Ｖ２）に接続された第２ＭＯＳトランジスタ（Ｍ２）を含む。加算段の第１出力端子（Ｖ１）及び第２出力端子（Ｖ２）は、入力端に入力されるガンマ基準電圧とフィードバック電圧の信号差を利用してＩＰＳガンマ基準電圧出力部４１とＴＮガンマ基準電圧出力部４２のＰＭＯＳ、ＮＭＯＳをプッシュまたはプル（ｐｕｓｈ  ｏｒ  ｐｕｌｌ）動作させるための信号を提供する。
【００３６】
ＴＮガンマ基準電圧出力部４２は、ソース端子が電源端子（ＶＤＤＰ）に接続されて、ドレイン端子がガンマ基準電圧（ＯＵＴ＿ＴＮ）の出力端子に接続されて、ゲート端子が加算段の第１出力端子（Ｖ１）に接続された第３ＭＯＳトランジスタ（Ｍ３）と；ドレイン端子が前記ガンマ基準電圧の出力端子（ＯＵＴ＿ＴＮ）に接続されて、ソース端子が電源端子（ＶＳＳ）に接続されて、ゲート端子が前記加算段の第２出力端子（Ｖ２）に接続された第４ＭＯＳトランジスタ（Ｍ４）を含む。
【００３７】
第１スイッチ（ＳＷ１）は、電源端子（ＶＤＤＰ）と第３ＭＯＳトランジスタ（Ｍ３）のゲート端子との間に接続されて、第２スイッチ（ＳＷ２）は、第４ＭＯＳトランジスタ（Ｍ４）のゲート端子と電源端子（ＶＳＳ）との間に接続されて、第３スイッチ（ＳＷ３）は、第１ＭＯＳトランジスタ（Ｍ１）のゲート端子と加算段の第１出力端子（Ｖ１）との間に接続されて、第４スイッチ（ＳＷ４）は、第２ＭＯＳトランジスタ（Ｍ２）のゲート端子と加算段の第２出力端子（Ｖ２）との間に接続される。
【００３８】
第５スイッチ（ＳＷ５）は、電源端子（ＶＤＤＰ）と第１ＭＯＳトランジスタ（Ｍ１）のゲートとの間に接続されて、第６スイッチ（ＳＷ６）は、第２ＭＯＳトランジスタ（Ｍ２）のゲート端子と電源端子（ＶＳＳ）との間に接続されて、第７スイッチ（ＳＷ７）は、加算段の第１出力端子（Ｖ１）と第３ＭＯＳトランジスタ（Ｍ３）のゲート端子との間に接続されて、第８スイッチ（ＳＷ８）は、加算段の第２出力端子（Ｖ２）と第４ＭＯＳトランジスタ（Ｍ４）のゲート端子との間に接続される。第１〜第８スイッチ（ＳＷ１〜ＳＷ８）は、ＭＯＳトランジスタに具現することができる。
【００３９】
以下、本発明の一実施例によるガンマバッファー（ＧＢ１〜ＧＢ７）の駆動方法に対して説明する。反転モード選択信号（ＩＰＳＥＮＢ）は、モード選択信号（ＩＰＳＥＮ）と反対になる論理状態を有したモード選択信号である。
【００４０】
先ず、ＩＰＳガンマ電圧モードによって制御部（例：タイミングコントローラ）からモード選択信号（ＩＰＳＥＮ）が「ハイ」にイネーブルされて出力されれば、第１〜第４スイッチ（ＳＷ１〜ＳＷ４）がターンオンされて第５〜第８スイッチ（ＳＷ５〜ＳＷ８）がターンオフされる。これによって、図４の回路が図５のようにＩＰＳガンマ電圧発生部３３Ｂでガンマ基準電圧を出力するＩＰＳガンマ基準電圧出力部４１の回路が動作するようになる。よって、前記ガンマバッファー部３２のガンマバッファー（ＧＢ１〜ＧＢ７）から出力端子（ＯＵＴ＿ＩＰＳ）を通じてＩＰＳガンマ電圧発生部３３Ｂでガンマ基準電圧がそれぞれ出力される。
【００４１】
ＴＮガンマ電圧モードによって前記制御部からモード選択信号（ＩＰＳＥＮ）が「ロー」でディスエーブルされて出力されれば、前記第１〜第４スイッチ（ＳＷ１〜ＳＷ４）がターンオフされて、反転モード選択信号（ＩＰＳＥＮＢ）によって第５〜第８スイッチ（ＳＷ５〜ＳＷ８）がターンオンされる。これによって、図４の回路が図６のようにＴＮガンマ電圧発生部３３Ａでガンマ基準電圧を出力するＴＮガンマ基準電圧出力部４２の回路が動作するようになる。よって、前記ガンマバッファー部３２のガンマバッファー（ＧＢ１〜ＧＢ７）から出力端子（ＯＵＴ＿ＴＮ）を通じてＴＮガンマ電圧発生部３３Ａでガンマ基準電圧がそれぞれ出力される。
【００４２】
前記第１〜第４スイッチ（ＳＷ１〜ＳＷ４）及び第５〜第８スイッチ（ＳＷ５〜ＳＷ８）は、ＭＯＳトランジスタで具現することが望ましいが、これに限定されるものではない。
【００４３】
本実施例では液晶表示装置がＩＰＳモードまたはＴＮモードで動作する場合必要なガンマ電圧を発生する例を説明したが、本発明はこれに限定されなくて、動作モードによって異なるガンマ電圧特性を有する場合動作モードによってガンマ基準電圧をガンマバッファー部でスイッチングして、該当モードガンマ電圧発生部で提供する他の表示装置に適用されることがある。
【００４４】
以上で本発明の望ましい実施例に対して詳しく説明したが、本発明の権利範囲がこれに限定されるものではなく、次の請求範囲で定義する本発明の基本概念を土台でより多様な実施例に具現されることができるし、このような実施例も本発明の権利範囲に属するものである。
【符号の説明】
【００４５】
３１  基準電圧発生部
３２  ガンマバッファー部
３３Ａ  ＴＮガンマ電圧発生部
３３Ｂ  ＩＰＳガンマ電圧発生部
３４  マルチプレクサー
３５  Ｄ／Ａ変換器
【図１】
2011150342.tif 000003
【図２】
2011150342.tif 000004
【図３】
2011150342.tif 000005
【図４】
2011150342.tif 000006
【図５】
2011150342.tif 000007
【図６】
2011150342.tif 000008